(57)【特許請求の範囲】
【請求項１】
冗長構成の親局側装置と冗長構成の複数の子局側装置とが現用系の光ネットワークと予備系の光ネットワークとを介して接続された冗長光多分岐通信システムにおいて、
前記現用系および前記予備系の光ネットワーク上の各遅延量の測定を行う遅延量測定手段と、
前記遅延量測定手段による遅延量測定結果に基づいて、前記現用系および前記予備系の光ネットワーク間の各遅延差に応じて前記子局側装置毎にパケットの位相を揃えるように制御する位相調整手段と、
前記遅延量測定手段による遅延量測定結果に基づいて、前記子局側装置単位で前記現用系または前記予備系の光ネットワークを選択切替する制御を行う選択切替制御手段と、
を備えたことを特徴とする冗長光多分岐通信システム。
【請求項２】
前記選択切替制御手段は、
前記現用系または前記予備系の光ネットワーク上における少なくとも１つの子局側装置に障害が発生した場合に、前記複数の子局側装置を該障害が発生していない他の光ネットワークに選択切替する制御を行うことを特徴とする請求項１に記載の冗長光多分岐通信システム。
【請求項３】
前記親局側装置は、
前記現用系または前記予備系の光ネットワークを介して入力された情報をそれぞれ一時格納する複数のバッファと、
予め設定された子局側装置の第１識別情報と子局側装置が送出した情報の第２識別情報とを対応付けて記憶するテーブルと、
前記テーブルの対応関係を参照して前記現用系および前記予備系の光ネットワークから入力される情報の送信元を識別し、該送信元に対応する前記バッファからの読み出しを制御する選択読出制御手段と、
を備えたことを特徴とする請求項１または２に記載の冗長光多分岐通信システム。
【請求項４】
前記複数の子局側装置は、
前記遅延量測定手段の遅延量測定結果をもとに前記選択切替制御手段が行う選択切替の光ネットワークを決定することを特徴とする請求項１〜３のいずれか一つに記載の冗長光多分岐通信システム。
【請求項５】
前記親局側装置は、
前記複数の子局側装置毎に前記選択切替制御手段が行う選択切替の光ネットワークを予め決定しておき、該決定した選択切替のネットワークを前記複数の子局側装置に通知し、
前記複数の子局側装置は、
前記親局側装置が通知した選択切替のネットワークをもとに前記選択切替制御手段が行う選択切替のネットワークを決定することを特徴とする請求項１〜４のいずれか一つに記載の冗長光多分岐通信システム。
【請求項６】
さらに冗長構成の仮想パスを設定し、
前記仮想パス単位の品質監視を行う品質監視手段を備え、
前記選択切替制御手段は、前記品質監視手段が監視した仮想パス単位の品質監視結果をもとに適切な仮想パスに選択切替する制御を行うとともに、前記遅延量測定手段の遅延量測定結果が所定の遅延量内である場合に仮想パス毎の切替制御を行うことを特徴とする請求項１〜５のいずれか一つに記載の冗長光多分岐通信システム。
【請求項７】
前記選択切替制御手段は、外部切替トリガを用いて強制切替を行うことを特徴とする請求項１〜６に記載の冗長光多分岐通信システム。
【請求項８】
前記複数の子局側装置のうちの一部の子局側装置は、非冗長構成であることを特徴とする請求項１〜７のいずれか一つに記載の冗長光多分岐通信システム。
【発明の詳細な説明】
【０００１】
【発明の属する技術分野】
この発明は、光通信システムに関し、特に冗長構成の親局側装置と冗長構成の複数の子局側装置とが現用系の光ネットワークと予備系の光ネットワークとを介して接続された冗長光多分岐通信システムに関するものである。
【０００２】
【従来の技術】
従来から、親局側装置と複数の子局側装置とが光ファイバで接続された光多分岐通信システムがある。図３０は、１つの親局側装置と複数の子局側装置とが光ファイバで接続された光多分岐通信システムの概要構成を示すブロック図である。図３０に示したシステムは、ＩＴＵ−Ｔ（国際電気通信連合電気通信標準化部門：International Telecommunication Union-Telecommunication）勧告Ｇ．９８３．１に定義された光多分岐通信システムの構成を示している。図３０において、１つの親局側装置２０１と複数の子局側装置２０２−１〜２０２−ｎとは、光スプリッタ２０３を介して接続される。
【０００３】
ＩＴＵ−Ｔ勧告Ｇ．９８３．１では、親局側装置２０１からの下り光信号は、光スプリッタ２０３によって各子局側装置２０２−１〜２０２−ｎに同報分配され、各子局側装置２０２−１〜２０２−ｎからの上り光信号は、光スプリッタ２０３によって多重化されて親局側装置２０１に送出される。この際、光スプリッタ２０３上で各子局側装置２０２−１〜２０２−ｎからの上り信号を多重化するためのアクセス制御、すなわち遅延制御が行われる。この遅延制御も、ＩＴＵ−Ｔ勧告Ｇ．９８３．１に記載されている。
【０００４】
図３１は、従来の光多分岐通信システムの詳細構成を示すブロック図である。図３１に示す光多分岐通信システム２００は、電源立ち上げ時等にレンジングと呼ばれるシーケンスを実行する。このレンジングのシーケンスは、まず親局側装置２０１において、遅延量測定セル生成部２０４が特定の子局側装置２０２−１〜２０２−ｎに対して遅延量測定セルを生成する。生成された各遅延量測定セルは、ＯＡＭ（保守運用管理：Operation Administration and Maintenance）セル挿入部２０５において下り主データの中にＯＡＭセルとして多重され、光送受信器およびＷＤＭ（周波数多重化方式：Wavelength Division Multiplexing）カプラ等で構成される送受信部２０６において各子局側装置２０２−１〜２０２−ｎに送出される。
【０００５】
各子局側装置２０２−１〜２０２−ｎでは、送受信部２０７内の図示しない光送受信器およびＷＤＭカプラ等によって受信した光信号を電気信号に変換する。この変換された電気信号は、フレーム同期部２０８において定期的に挿入されたＯＡＭセル内のフレーム同期ビットをもとにフレーム同期がとられ、各セルの区切りが認識される。ＯＡＭセル分離部２０９では、自子局側装置２０２−１宛てのデータセルとＯＡＭセルとを識別し、分離する。遅延量設定部２１０は、分離されたＯＡＭセルのうちの遅延量測定セルが入力されると、直ちにＯＡＭセル挿入部２１２に通知し、応答としての遅延量測定セルを送受信部２０７、光スプリッタ２０３を介して親局側装置２０１に送出する。すなわち、遅延量測定セルを受信した場合、子局側装置２０２−１は、直ちに折り返して親局側装置２０１に送出する。
【０００６】
一方、親局側装置２０１のＯＡＭセル分離部２１３は、データセルとＯＡＭセルとを分離する。遅延量測定部２１４は、ＯＡＭセル分離部２１３によって分離されたＯＡＭセル内に遅延量測定セルがある場合、この遅延量測定セルの応答によってラウンドトリップ時間を測定する。このラウンドトリップ時間とは、親局側装置２０１から送出されたセルが光スプリッタ２０３を介し、子局側装置２０２−１で折り返して再び親局側装置２０１に受信されるまでの一往復の時間をいう。遅延量測定セル生成部２０４は、このラウンドトリップ時間をもとに親局側装置２０１と子局側装置２０２−１との間の遅延量を算出し、この遅延量の情報を含む遅延量通知セルを生成し、ＯＡＭセル挿入部２０５に送出する。ＯＡＭセル挿入部２０５は、この遅延量通知セルをＯＡＭセル内に含め、送受信部２０６によって子局側装置２０２−１側に送出される。
【０００７】
この遅延量通知セルを含むセルを受信した子局側装置２０２−１のＯＡＭセル分離部２０９は、上述したようにＯＡＭセルを分離し、遅延量設定部２１０は、このＯＡＭセル内に遅延量通知セルが含まれる場合、この遅延量をバッファメモリ部２１１に対する読出時間の制御量として設定する。これによって、複数の子局側装置から親局側装置に対する送出タイミングが遅延時間を加味して各子局側装置に設定され、多重化が整然と行われ、上り方向の光伝送が正常に行われることになる。なお、状態制御部２１５，２１６は、正常な範囲内のラウンドトリップ時間内にセルが返送された場合に、運用状態と判断し、その後の上りセルに対して遅延量が測定され、遅延量補正部２１７によってセルの遅延量が微調され、正常な範囲内のラウンドトリップ時間内にセルが返送されない場合には、異常状態とみなす。
【０００８】
【発明が解決しようとする課題】
ところで、ＩＴＵ−Ｔ勧告Ｇ．９８３．１では、図３２に示すように親局側装置を冗長構成した冗長光多分岐通信システムも定義されている。この冗長光多分岐通信システムは、図３０に示した親局側装置２０１に代えて、現用系としての親局側装置２０１ａと予備系としての親局側装置２０１ｂとが光スプリッタ２０３に接続された構成となっている。光スプリッタ２０３と親局側装置２０１ａ，２０１ｂとの間は、それぞれ光ファイバで接続されている。
【０００９】
しかしながら、各子局側装置２０２−１〜２０２−ｎのうちの少なくとも一つがさらに現用系と予備系との装置を有し、２つの光スプリッタ２０３を介して親局側装置と各子局側装置とが２重化構成された冗長光多分岐通信システムを適切に切替制御できるものはなく、信頼性の高い冗長光多分岐通信を行うことができなかったという問題点があった。
【００１０】
この発明は上記に鑑みてなされたもので、親局側装置および少なくとも一つの子局側装置との間が２重化構成された場合であっても、信頼性の高い光通信を確実に行うことができる冗長光多分岐通信システムを得ることを目的とする。
【００１１】
【課題を解決するための手段】
上記目的を達成するため、この発明にかかる冗長光多分岐通信システムは、冗長構成の親局側装置と冗長構成の複数の子局側装置とが現用系の光ネットワークと予備系の光ネットワークとを介して接続された冗長光多分岐通信システムにおいて、前記現用系および前記予備系の光ネットワーク上の各遅延量の制御を行う遅延制御手段と、前記遅延制御手段による遅延制御結果をもとに前記現用系および前記予備系の光ネットワークのうちの適切な光ネットワークに選択切替する制御を行う選択切替制御手段と、を備えたことを特徴とする。
【００１２】
この発明によれば、遅延制御手段が、前記現用系および前記予備系の光ネットワーク上の各遅延量の制御を行い、選択切替制御手段が、前記遅延制御手段による遅延制御結果をもとに前記現用系および前記予備系の光ネットワークのうちの適切な光ネットワークに選択切替する制御を行うようにしている。
【００１３】
つぎの発明にかかる冗長光多分岐通信システムは、上記の発明において、前記選択切替制御手段は、前記現用系または前記予備系の光ネットワーク上における少なくとも１つの子局側装置に障害が発生した場合に、前記複数の子局側装置を該障害が発生していない他の光ネットワークに選択切替する制御を行うことを特徴とする。
【００１４】
この発明によれば、前記選択切替制御手段が、前記現用系または前記予備系の光ネットワーク上における少なくとも１つの子局側装置に障害が発生した場合に、前記複数の子局側装置を該障害が発生していない他の光ネットワークに選択切替する制御を行うようにしている。
【００１５】
つぎの発明にかかる冗長光多分岐通信システムは、上記の発明において、前記選択切替制御手段は、前記遅延制御手段の遅延制御結果をもとに、前記子局側装置単位で前記現用系または前記予備系の光ネットワークを選択切替する制御を行うことを特徴とする。
【００１６】
この発明によれば、前記選択切替制御手段は、前記遅延制御手段の遅延制御結果をもとに、前記子局側装置単位で前記現用系または前記予備系の光ネットワークを選択切替する制御を行うようにしている。
【００１７】
つぎの発明にかかる冗長光多分岐通信システムは、上記の発明において、前記親局側装置は、前記現用系または前記予備系の光ネットワークを介して入力された情報をそれぞれ一時格納する複数のバッファと、予め設定された子局側装置の第１識別情報と子局側装置が送出した情報の第２識別情報とを対応付けて記憶するテーブルと、前記テーブルの対応関係を参照して前記現用系および前記予備系の光ネットワークから入力される情報の送信元を識別し、該送信元に対応する前記バッファからの読み出しを制御する選択読出制御手段と、を備えたことを特徴とする。
【００１８】
この発明によれば、テーブルには、予め設定された子局側装置の第１識別情報と子局側装置が送出した情報の第２識別情報とを対応付けて記憶しておき、前記親局側装置において、複数のバッファが前記現用系または前記予備系の光ネットワークを介して入力された情報をそれぞれ一時格納し、選択読出制御手段が、前記テーブルの対応関係を参照して前記現用系および前記予備系の光ネットワークから入力される情報の送信元を識別し、該送信元に対応する前記バッファからの読み出しを制御するようにしている。
【００１９】
つぎの発明にかかる冗長光多分岐通信システムは、上記の発明において、前記複数の子局側装置は、前記遅延制御手段の遅延制御結果をもとに前記選択切替制御手段が行う選択切替の光ネットワークを決定することを特徴とする。
【００２０】
この発明によれば、前記複数の子局側装置が、前記遅延制御手段の遅延制御結果をもとに前記選択切替制御手段が行う選択切替の光ネットワークを決定するようにしている。
【００２１】
つぎの発明にかかる冗長光多分岐通信システムは、上記の発明において、前記親局側装置は、前記複数の子局側装置毎に前記選択切替制御手段が行う選択切替の光ネットワークを予め決定しておき、該決定した選択切替のネットワークを前記複数の子局側装置に通知し、前記複数の子局側装置は、前記親局側装置が通知した選択切替のネットワークをもとに前記選択切替制御手段が行う選択切替のネットワークを決定することを特徴とする。
【００２２】
この発明によれば、前記親局側装置が、前記複数の子局側装置毎に前記選択切替制御手段が行う選択切替の光ネットワークを予め決定しておき、該決定した選択切替のネットワークを前記複数の子局側装置に通知し、前記複数の子局側装置が、前記親局側装置が通知した選択切替のネットワークをもとに前記選択切替制御手段が行う選択切替のネットワークを決定するようにしている。
【００２３】
つぎの発明にかかる冗長光多分岐通信システムは、冗長構成の親局側装置と冗長構成の複数の子局側装置とが現用系の光ネットワークと予備系の光ネットワークとを介して接続され、冗長構成の仮想パスを設定して前記親局側装置と前記複数の子局側装置との間を接続する冗長光多分岐通信システムにおいて、前記仮想パス単位の品質監視を行う品質監視手段と、前記品質監視手段が監視した仮想パス単位の品質監視結果をもとに適切な仮想パスに選択切替する制御を行う選択切替制御手段と、を備えたことを特徴とする。
【００２４】
この発明によれば、品質監視手段が、前記仮想パス単位の品質監視を行い、選択切替制御手段が、前記品質監視手段が監視した仮想パス単位の品質監視結果をもとに適切な仮想パスに選択切替する制御を行うようにしている。
【００２５】
つぎの発明にかかる冗長光多分岐通信システムは、上記の発明において、前記現用系および前記予備系の光ネットワーク上の各遅延量の制御を行う遅延制御手段をさらに備え、前記選択切替制御手段は、前記遅延制御手段の遅延制御結果が所定の遅延量内である場合に仮想パス毎の切替制御を行うことを特徴とする。
【００２６】
この発明によれば、遅延制御手段が、前記現用系および前記予備系の光ネットワーク上の各遅延量の制御を行い、前記選択切替制御手段が、前記遅延制御手段の遅延制御結果が所定の遅延量内である場合に仮想パス毎の切替制御を行うようにしている。
【００２７】
つぎの発明にかかる冗長光多分岐通信システムは、上記の発明において、前記現用系および前記予備系の光ネットワーク間の各遅延差を求め、該各遅延差をもとに光ネットワーク間の遅延差情報を算出する遅延差算出手段とをさらに備え、前記選択切替制御手段は、前記遅延差の小さい光ネットワークからの情報を遅延させることを特徴とする。
【００２８】
この発明によれば、遅延差算出手段が、前記現用系および前記予備系の光ネットワーク間の各遅延差を求め、該各遅延差をもとに光ネットワーク間の遅延差情報を算出し、前記選択切替制御手段が、前記遅延差の小さい光ネットワークからの情報を遅延させるようにしている。
【００２９】
つぎの発明にかかる冗長光多分岐通信システムは、上記の発明において、前記選択切替制御手段は、外部切替トリガを用いて強制切替を行うことを特徴とする。
【００３０】
この発明によれば、前記選択切替制御手段が、外部切替トリガを用いて強制切替を行い、瞬断のない冗長切替を行うようにしている。
【００３１】
つぎの発明にかかる冗長光多分岐通信システムは、上記の発明において、前記複数の子局側装置のうちの一部の子局側装置は、非冗長構成であることを特徴とする。
【００３２】
この発明によれば、前記複数の子局側装置のうちの一部の子局側装置を、非冗長構成としている。
【００３３】
【発明の実施の形態】
以下に添付図面を参照して、この発明にかかる冗長光多分岐通信システムの好適な実施の形態を詳細に説明する。
【００３４】
実施の形態１．
まず、この発明の実施の形態１について説明する。図１は、この発明の実施の形態１である冗長光多分岐通信システムの概要構成を示すブロック図である。図１において、親局側装置１と複数の子局側装置２−１〜２−ｎとは２つの光スプリッタ３−１，３−２を介してそれぞれ異なる光ファイバで接続される。光スプリッタ３−１，３−２と親局側装置１、および光スプリッタ３−１，３−２と各子局側装置２−１〜２−ｎは、それぞれ１本の光ファイバで接続される。親局側装置１と各子局側装置２−１〜２−ｎとの間は、光ファイバ内では、波長多重された上りと下りの光信号が伝送される。なお、光スプリッタ３−１，３−２と親局側装置１、および光スプリッタ３−１，３−２と各子局側装置２−１〜２−ｎは、それぞれ１本の光ファイバとしたが、それぞれ２本の光ファイバを用い、上りと下りの各光信号を異なる光ファイバ上を伝送させるようにしてもよい。
【００３５】
親局側装置１は、０系親局側装置１ａ、１系親局側装置１ｂ、選択回路１５、および分岐回路１６を有する。０系親局側装置１ａ，１系親局側装置１ｂは、それぞれ光スプリッタ３−１，３−２に接続され、図３１に示した親局側装置２０１と同じ構成の親局制御部４ａ，４ｂを有する。選択回路１５は、０系親局側装置１ａ，１ｂのいずれか一方を選択して出力する。分岐回路１６は、入力された信号を０系親局側装置１ａおよび１系親局側装置１ｂにそれぞれ出力する。
【００３６】
各子局側装置２−１〜２−ｎは、それぞれ０系子局側装置２−１ａ〜２−ｎａ、１系親局側装置２−１ｂ〜２−ｎｂ、選択回路２１、および分岐回路２２をそれぞれ有する。０系子局側装置２−１ａ〜２−ｎａおよび１系子局側装置２−１ｂ〜２−ｎｂは、それぞれ光スプリッタ３−１，３−２に接続され、図３１に示した子局側装置２０２−１〜２０２−ｎと同じ構成の子局制御部５ａ，５ｂをそれぞれ有する。選択回路２１は、０系子局側装置２−１ａ〜２−ｎａまたは１系子局側装置２−１ｂ〜２−ｎｂのいずれか一方を選択して出力する。分岐回路２２は、入力された信号を０系子局側装置２−１ａ〜２−ｎａおよび１系子局側装置２−１ｂ〜２−ｎｂにそれぞれ出力する。
【００３７】
図２は、図１に示した親局側装置１の詳細構成を示すブロック図である。図２において、０系親局側装置１ａおよび１系親局側装置１ｂがそれぞれ有する親局制御部４ａ，４ｂは、上述したように図３１に示した親局側装置２０１と同じ構成であり、同一構成部分には同一符号を付している。０系親局側装置１ａおよび１系親局側装置１ｂは、それぞれ品質監視部１０、品質情報受信部１１、系選択制御回路１２、切替情報送信部１３、および情報多重化回路１４を有する。
【００３８】
品質監視部１０は、ＯＡＭセル挿入部２０５から入力される子局毎の信号を監視する。品質情報受信部１１は、子局毎に設けられた下り品質監視情報を受信する。系選択制御回路１２は、状態制御部２１６、品質監視部１０、品質情報受信部１１、および他の系選択制御回路１２からの情報をもとに、二重化された０系あるいは１系のいずれかの系の選択を指示する系選択信号を生成する。切替情報送信部１３は、子局毎に設けられ、系選択信号を各子局側装置２−１〜２−ｎに通知する。情報多重化回路１４は、切替情報送信部１３が出力する系選択信号と、分岐回路１６から入力される下り主信号とを多重化し、ＯＡＭセル分離部２１３に出力する。
【００３９】
図３は、図１に示した子局側装置２−１の詳細構成を示すブロック図である。その他の子局側装置２−２〜２−ｎの構成は、子局側装置２−１と同じである。図３において、０系子局側装置２−１ａおよび１系子局側装置２−１ｂがそれぞれ有する子局制御部５ａ，５ｂは、上述したように図３１に示した子局側装置２０２−１〜２０２−ｎと同じ構成であり、同一構成部分には同一符号を付している。０系子局側装置２−１ａおよび１系子局側装置２−１ｂは、それぞれ品質監視部１７、切替信号受信部１８、系選択制御回路１９、および情報挿入部２０を有する。
【００４０】
品質監視部１７は、入力された信号内のパリティ符号あるいはＣＲＣなどによって下り品質を監視する。切替信号受信部１８は、入力された信号内の切替信号を受信する。系選択制御回路１９は、状態制御部２１５、品質監視部１７、切替信号受信部１８からの情報をもとに、二重化された０系あるいは１系のいずれかの系の選択を指示する系選択信号を生成する。情報挿入部２０は、品質監視部１７が出力する情報を生成し、バッファメモリ部２１１に出力し、親局側装置１側に通知する。
【００４１】
ここで、図４に示すフローを参照して、親局側装置１と子局側装置２−１〜２−ｎとの間の遅延制御および障害処理について説明する。まず、親局側装置１は、光ファイバ接続時および電源投入時に、子局側装置２−１〜２−ｎのうちの１つに対して遅延量測定セルを送出する（Ｓ１）。子局側装置２−１〜２−ｎのうちの１つは、この遅延量測定セルを直ちに親局側装置１に返送する（Ｓ２）。親局側装置１の遅延量測定部２１４は、親局側装置１から子局側装置２−１〜２−ｎのうちの１つを経由して再び親局側装置１に戻るまでのラウンドトリップ時間を測定し、このラウンドトリップ時間から遅延量を測定し、遅延量の情報を遅延量通知セルとして子局側装置２−１〜２−ｎのうちの１つに対して送信する（Ｓ３）。この遅延量通知セルを受信した子局側装置２−１〜２−ｎのうちの１つの遅延量設定部２１０は、セルの遅延量を再設定する。ここで、状態制御部２１６は、正常な範囲にセルが返送された場合、運用状態と判断し、その後、遅延量測定部２１４は、セルの遅延量を測定し、遅延量補正部２１７は、この測定結果をもとに遅延量を微調する。一方、状態制御部２１６は、セルの遅延量が所定の補正範囲を超えた場合に、異常状態とみなすとともに、送受信部２０６において正しい信号が受信できなくなった場合も、異常状態とみなす。この処理を順次子局側装置２−１〜２−ｎの番号を変えて行う。
【００４２】
１つの子局との回路において状態制御部２１６が異常状態とみなす、すなわち現在選択している０系の障害を検出すると、親局側装置１は、１系への切替通知を子局側装置２−１〜２−ｎのうちの１つに通知する（Ｓ２１）。さらに、親局側装置１は、遅延測定を開始し、遅延量測定セルを子局側装置２−１〜２−ｎのうちの１つに送出し、ラウンドトリップ時間を測定する（Ｓ２２，Ｓ２３）。そして、親局側装置１は、この遅延量測定結果を遅延量通知セルとして子局側装置２−１〜２−ｎのうちの１つに通知し（Ｓ２４）、子局側装置２−１〜２−ｎのうちの１つは、この通知をもとに遅延量を再設定する。
【００４３】
ところで、品質監視部１０は、子局毎に埋め込まれた識別情報およびパリティ符号などの監視情報をもとに品質監視を行い、各子局からの情報転送の正常性を確認する。また、品質監視部１７は、パケットに埋め込まれた識別情報およびパリティなどの監視情報をもとに品質監視を行い、下り回線の正常性の検査を行う。この検査結果は、情報挿入部２０に出力され、情報挿入部２０は、上りの監視セルとして親局側装置１に出力する。品質情報受信部１１は、この監視セルを受信し、系選択制御回路１２に送出する。系選択制御回路１２は、監視セル内の品質情報をもとに選択系を決定する。
【００４４】
系選択制御回路１２は、図５に示す選択規則に従って選択系を選択する。図５に示す選択規則では、０系あるいは１系のいずれか一方の系の全ての子局側装置が運用状態になっている場合には、その運用状態になっている系を選択し、双方の系でいずれか一つ以上の子局側装置が異常状態あるいは双方の系がともに一つ以上の子局側装置が異常状態になっている場合には前系を保持するようにしている。
【００４５】
たとえば、図６に示すように番号「１」〜「３」をもつ３つの子局側装置２−１〜２−３が登録され、０系および１系ともに全て運用され、各子局側装置２−１〜２−３が全て０系を選択しているとする。ここで、図７に示すように、番号「１」をもつ子局側装置２−１が異常状態であると検出されると、番号「１」〜「３」の全ての選択系が１系に設定される。すなわち、系選択制御回路１２は、全ての子局側装置２−１〜２−ｎの選択系を０系か１系かのいずれかに選択決定する。
【００４６】
ここで、図８に示すフローチャートを参照して、系選択制御回路１２の系選択制御手順について説明する。系選択制御回路１２は、まず予備系が実装されているかを判断する（ステップＳ１０１）。予備系が実装されている場合（ステップＳ１０１，ＹＥＳ）には、予備系が異常であるか否かを判断する（ステップＳ１０２）。予備系が異常でない場合（ステップＳ１０２，ＮＯ）には、さらに現用系が異常であるか否かを判断する（ステップＳ１０３）。現用系が異常である場合（ステップＳ１０３，ＹＥＳ）には、現用系と予備系とを入れ替え（ステップＳ１０４）、たとえば、０系と１系とを入れ替え、本処理を終了する。一方、予備系が実装されていない場合（ステップＳ１０１，ＮＯ）、予備系が異常である場合（ステップＳ１０２，ＹＥＳ）、あるいは現用系が異常でない場合（ステップＳ１０３，ＮＯ）には、前系を選択し（ステップＳ１０５）、本処理を終了する。
【００４７】
系選択制御回路１２が出力する系選択信号は、選択回路１５に出力され、上り光信号の選択が行われる。すなわち、選択回路１５は、系選択信号が指示する選択系をもとに、０系親局側装置１ａまたは１系親局側装置１ｂのいずれかから出力された信号を選択する。
【００４８】
一方、系選択制御回路１２は、系選択信号を切替情報送信部１３に出力し、切替情報送信部１３は、切替信号として情報多重化回路１４に出力する。情報多重化回路１４は、この切替信号を時分割多重化し、各子局側装置２−１〜２−ｎに対して同報転送する。子局側装置２−１〜２−ｎは、切替信号受信部１８において、切替信号を受信し、系選択制御回路１９に出力する。系選択制御回路１９は、切替信号をもとに系選択信号を生成し、選択回路２１に出力し、下り信号の選択が行われる。すなわち、選択回路２１は、系選択信号が指示する選択系をもとに、０系子局側装置２−１ａまたは１系子局側装置２−１ｂのいずれかから出力された信号を選択する。
【００４９】
なお、切替信号の転送経路は、通常０系および１系の双方の系に対して同じ信号が伝送され、予備系となっている系によって受信された切替信号が選択されるようにしている。これによって、切替信号自体の転送系が異常となって、信号が転送されない場合、切替が生じないが、このことは、予備系が異常状態になっている場合に切替が発生しない図５に示した選択規則と同じ状態遷移を実現できることになる。
【００５０】
図９は、選択回路１５の詳細構成の一例を示すブロック図である。図９において、選択回路１５は、２入力１出力のセレクタ２３によって実現される。たとえば、選択回路セレクタ２３には、０系親局側装置１ａと１系親局側装置１ｂとが入力され、系選択信号によっていずれか一方の信号が選択出力される。なお、選択回路２１も同じ構成によって実現することができる。
【００５１】
また、図１０は、選択回路１５の詳細構成の他の一例を示すブロック図である。図１０において、選択回路１５は、２入力１出力のセレクタ２７を設け、０系親局側装置１ａおよび１系親局側装置１ｂと、セレクタ２７との間に、ＦＩＦＯ回路などで実現されるセルバッファ２４，２５をそれぞれ介在させるようにしている。また、カウンタ回路などで実現される読出位相調整部２６を設け、セルバッファ２４，２５から読み出される各系のパケットの先頭位相を揃えるようにしている。なお、セレクタ２７には、系選択信号が入力され、０系あるいは１系のいずれか一方の信号が選択出力される。また、選択回路２１も同じ構成によって実現することができる。
【００５２】
この実施の形態１によれば、０系と１系との系切替を迅速に行うことができ、しかも正常な予備系が存在する場合にのみ、この予備系に切り替えるようにしているので、確実な系切替が実現される。
【００５３】
実施の形態２．
つぎに、この発明の実施の形態２について説明する。上述した実施の形態１では、親局側装置１と子局側装置２−１〜２−ｎとのリンクのいずれか１つが異常となった場合、全ての子局側装置２−１〜２−ｎに対応するリンクが予備系に切り替わるようにしていたが、この実施の形態２では、子局側装置２−１〜２−ｎ単位で切り替えるようにしている。
【００５４】
この実施の形態２のシステム構成は、図１〜図３に示した実施の形態１の冗長光多分岐通信システムと同じであるが、系選択制御回路１２による制御動作が異なる。すなわち、この実施の形態２による系選択は、図１１に示した選択規則に従って選択系の系選択を行い、各子局側装置２−１〜２−ｎが運用状態が異常状態かによって各子局側装置２−１〜２−ｎ毎に系選択を行う。
【００５５】
たとえば、図１２に示すように番号「１」〜「３」の３つの子局側装置２−１〜２−３に対して、全て初期状態として０系を現用系として選択し、番号「１」の子局側装置２−１の０系が異常状態となり、その他の全ての子局側装置が運用状態であった場合、番号「１」の子局側装置２−１のみを０系から１系に切り替え、１系を現用系に切り替えるようにし、その他の子局側装置２−２，２−３は、そのまま０系を現用系として維持するようにしている。
【００５６】
この場合における選択回路１５の構成は、図１３に示す構成によって実現することができる。なお、送受信されるパケットには、子局側装置毎に識別できる識別番号が割り当てられており、この識別番号と、この識別番号に対応する情報、すなわち使用している現用系の情報とを対応させてセル種別情報テーブル２９に予め設定しておくものとする。セル判別読出制御部２８には、セル種別情報テーブル２９から、子局側装置２−１〜２−ｎ毎に、０系か１系かのいずれの系が現用系として用いられているかを示す系切替情報が出力され、セル判別読出制御部２８は、この系切替情報をもとに読み出すべきセルバッファ２４，２５のいずれかを選択する。すなわち、セル判別読出制御部２８は、セル種別毎に読み出すべきセルバッファを変化させて制御するようにしている。なお、セレクタ２７には、系選択信号が入力される。
【００５７】
一方、切替情報送信部１３は、系選択制御回路１２による系選択信号に対応し、各子局側装置２−１〜２−ｎ毎に切替制御信号を生成し、情報多重化回路１４を介して子局側装置２−１〜２−ｎに伝送される。各子局側装置２−１〜２−ｎでは、切替信号受信部１８において、各子局側装置２−１〜２−ｎに対応した切替制御信号を受信し、切替制御信号を系選択制御回路１９に出力する。その後、実施の形態１と同様に選択回路による出力切替が制御される。
【００５８】
この実施の形態２によれば、各子局側装置２−１〜２−ｎの状態に対応して各子局側装置２−１〜２−ｎ毎に系切替制御がなされるため、たとえば光スプリッタ３−１，３−２と各子局側装置２−１〜２−ｎとの間における光ファイバに障害が発生した場合であっても、正常な動作を行っている他の子局側装置において現在運用している系をそのままにして、異常のある系だけを切り替えることができるので、正常な通信を行っている他の子局側装置に系切替を強制せず、系切替に伴う瞬断の発生を防止することができる。
【００５９】
実施の形態３．
つぎに、この発明の実施の形態３について説明する。上述した実施の形態１，２における各子局側装置２−１〜２−ｎは、全て２重化されていたが、この実施の形態３では、各子局側装置２−１〜２−ｎ内の子局側装置が０系あるいは１系のいずれか一方のみを用いて通信を行う形態である。
【００６０】
図１４は、この発明の実施の形態３である冗長光多分岐通信システムの構成を示すブロック図である。図１４では、３つの子局側装置２−１〜２−３を有している。子局側装置２−１，２−２は、実施の形態１，２と同様に２重化された構成を有し、それぞれ光スプリッタ３−１，３−２に接続されているが、子局側装置２−３は、２重化構成ではなく、０系の光スプリッタ３−１のみに接続されている。その他の構成は、実施の形態１，２と同じである。
【００６１】
この場合、系選択制御回路１２は、たとえば、図１５に示す選択規則に従って選択系の系選択を行う。図１５では、初期状態として０系が選択されており、番号「１」の子局側装置２−１の０系に異常が発生すると、実施の形態１と同様にして、他の全ての子局側装置２−３を１系に系切替する制御を行おうとするが、子局側装置２−３は、２重化構成でなく、０系のみを用いているため、１系は無視された状態となっている。すなわち、子局側装置２−３は、常に選択系として０系となるように固定化されている。
【００６２】
この場合における選択回路１５は、図１６に示す構成によって実現できる。図１６に示す選択回路１５の構成は、図１３に示した選択回路１５の構成と同じであるが、セル種別情報テーブル２９に代えてセル種別情報／系固定情報テーブル５０が設けられている。このセル種別情報／系固定情報テーブル５０には、予め子局側装置２−３が０系に固定されている旨の情報が設定されている。セル判別読出制御部２８は、セル種別情報／系固定情報テーブル５０に設定された内容に基づき、子局側装置２−３から伝送されるパケットを０系に固定して読み出す制御を行う。
【００６３】
この実施の形態３によれば、全ての子局側装置が２重化構成でなく、単独の子局側装置が混在する場合であっても、２重化された子局側装置の適切な系切替が可能であり、柔軟なシステムを構築することができる。
【００６４】
実施の形態４．
つぎに、この発明の実施の形態４について説明する。上述した実施の形態１〜３では、各子局側装置毎の遅延制御状態および各子局側装置からの伝送される信号の品質監視などを行って系切替を行うようにしていたが、この実施の形態４では、各子局側装置と親局側装置との間で設定される仮想パス（ＶＰ：Virtual Path）を複数本設定しておき、各ＶＰ毎に品質を監視し、ＶＰ切替を行うようにしている。
【００６５】
図１７は、２つの子局側装置（子局「１」，「２」）と親局側装置（親局）との間におけるＶＰ設定の一例を示す図である。図１７において、黒丸は、ＶＰの発生点および終端点を示している。たとえば、仮想パス識別子（ＶＰＩ）「１」に対しては、０系と１系との双方に設定され（図１７の１０１，１０２）、ＶＰＩ「２」に対しては０系のみが設定されている（図１７の１０３）。このＶＰＩ「１」，「２」は、子局「１」と親局との間に設定されたＶＰＩである。ＶＰＩ「１」に対しては、０系と１系とが２重に設定されているため、パス切替制御が可能となる。
【００６６】
図１８は、この発明の実施の形態４である冗長光多分岐通信システムにおける親局側装置の構成を示すブロック図である。また、図１９は、この発明の実施の形態４である冗長光多分岐通信システムにおける子局側装置の構成を示す図である。図１８および図１９において、親局制御部４ａ，４ｂおよび子局制御部２−１ａ，２−１ｂは、図２および図３に示した構成と同じであり、同一構成部分には同一符号を付している。
【００６７】
図１８において、ＶＰ単位品質監視部４０は、各ＶＰ毎に各子局側装置２−１〜２−ｎから伝送される上り光信号に対して、パリティチェックあるいはＣＲＣチェックなどによってＶＰ毎の信号品質監視を行い、品質の悪いＶＰがチェックされる。一方、親局側装置１から子局側装置２−１〜２−ｎへの下り光信号は、ＶＰ単位品質監視部３０によって品質監視が行われ、品質監視結果は、ＶＰＯＡＭセル挿入部３１において上りの情報通知用セルに変換され、親局側装置１に伝送される。
【００６８】
子局側装置２−１〜２−ｎにおいて検出された下り光信号のうちの品質の悪いＶＰの品質情報（ＶＰ単位品質情報）は、ＶＰ単位品質情報受信部４１によって受信される。ＶＰ単位系選択制御回路４２は、ＶＰ単位品質監視部４０が監視した上り光信号の品質監視結果と、ＶＰ単位品質情報受信部４１が受信した下り光信号の品質監視結果とをもとに、適切なＶＰの系を選択する処理を行う。
【００６９】
図２０は、ＶＰ単位系選択制御回路４２によるＶＰ選択処理手順を示すフローチャートである。図２０において、まず、ＶＰ単位系選択制御回路４２は、予備ＶＰが設定されているか否かを判断する（ステップＳ２０１）。予備ＶＰが設定されているということは、たとえばＶＰＩ「１」のようにＶＰのパスが２重に設定されていることである。予備ＶＰが設定されている場合（ステップＳ２０１，ＹＥＳ）には、さらに予備ＶＰが異常であるか異なかを判断する（ステップＳ２０２）。予備ＶＰが異常でない場合（ステップＳ２０２，ＮＯ）には、さらに現用ＶＰが異常か異なかを判断する（ステップＳ２０３）。
【００７０】
現用ＶＰが異常である場合（ステップＳ２０３，ＹＥＳ）には、現用ＶＰと予備ＶＰとを入れ替え（ステップＳ２０４）、本処理を終了する。一方、予備ＶＰが設定されていない場合（ステップＳ２０１，ＮＯ）、予備ＶＰが異常である場合（ステップＳ２０２，ＹＥＳ）、および現用ＶＰが異常でない場合（ステップＳ２０３，ＮＯ）には、現用ＶＰと予備ＶＰとをそのままの状態とし（ステップＳ２０５）、すなわちＶＰ切替を行わずに本処理を終了する。
【００７１】
この処理によって、２重に設定されたＶＰのうち、いずれのＶＰが現用ＶＰであるかを決定することができる。決定されたＶＰ切替制御の内容は、ＶＰ単位切替制御信号送信部４３がＶＰ単位切替制御信号を生成し、情報多重化回路４４を介して、各ＶＰ毎に子局側装置２−１〜２−ｎ側に送られる。
【００７２】
図２１は、図１７に示したＶＰ設定に対応する具体的な切替制御の内容を示す図である。図２１において、ＶＰＩ「４」は、１系のＶＰのみしか設定されていないため、選択系としては、１系に固定選択される。また、ＶＰＩ「１」では、０系のＶＰが異常となっているため、選択系としては、正常な１系のＶＰが選択されている。
【００７３】
ここで、図２２を参照して、選択回路１５の詳細構成について説明する。図２２において、ＶＰ情報テーブル５１には、予め各ＶＰＩ番号に対するＶＰが０系、１系のいずれに設定されているかの情報が設定されている。各ＶＰの切替情報がＶＰ単位系選択制御回路４２からＶＰＩモニタ＆読出制御部５２に入力されると、ＶＰＩモニタ＆読出制御部５２は、各ＶＰに対応するいずれのセルバッファ２４，２５から読み出すかを制御し、セレクタ２７を介して対応するＶＰのセルを読み出す。
【００７４】
一方、子局側装置２−１〜２−ｎでは、ＶＰ単位切替信号受信部３２において各ＶＰ毎に読み出すＶＰの系番号を受信し、ＶＰ単位系選択制御回路３３を介して選択回路２１を制御する。選択回路２１の構成は、図２２に示した選択回路１５の構成と同じである。
【００７５】
この実施の形態４によれば、ＶＰ単位で系切替を行うことができるので、柔軟なシステムを構築することができるとともに、２重化されていない子局側装置が混在する場合でも、２重化されている子局側装置のみの系切替が可能であり、柔軟なシステムを構築することができる。
【００７６】
実施の形態５．
つぎに、この発明の実施の形態５について説明する。上述した実施の形態４では、２重化されたＶＰ毎に系切替を行うようにしていたが、この実施の形態５では、遅延制御の結果をも含めて系切替を行うようにしている。
【００７７】
図２３は、この発明の実施の形態５である冗長光多分岐通信システムの親局側装置の構成を示すブロック図である。また、図２４は、この発明の実施の形態６である冗長光多分岐通信システムの子局側装置の構成を示すブロック図である。この実施の形態５による親局側装置１では、状態制御部２１６による遅延制御結果がＶＰ単位系選択制御回路４２に入力される。また、子局側装置２−１〜２−ｎでは、状態制御部２１５による遅延制御結果がＶＰ単位系選択制御回路３３に入力される。このため、ＶＰ単位系選択制御回路３３，４２の制御内容が、実施の形態４に示したＶＰ単位系選択制御回路３３，４２と異なる。その他の構成は、実施の形態４と同じであり、同一構成部分には同一符号を付している。
【００７８】
図２５は、図２３，２４に示したＶＰ単位系選択制御回路３３，４２の制御処理手順を示すフローチャートである。図２５において、まず、ＶＰ単位系選択制御回路４２は、予備系が実装されているか否かを判断する（ステップＳ３０１）。予備系が実装されている場合（ステップＳ３０１，ＹＥＳ）には、さらに遅延制御結果をもとに、予備系が異常であるか否かを判断する（ステップＳ３０２）。予備系が異常でない場合（ステップＳ３０２，ＮＯ）には、さらに現用系が異常であるか否かを判断する（ステップＳ３０３）。
【００７９】
現用系が異常である場合（ステップＳ３０３，ＹＥＳ）には、現用系に接続されているＶＰを全て予備ＶＰに設定し、予備系に接続されているＶＰを全て現用ＶＰに設定する（ステップＳ３０４）。その後、現用系と予備系とを入れ替え（ステップＳ３０５）、本処理を終了する。すなわち、子局側装置単位の系切替を行う。
【００８０】
一方、予備系が実装されていない場合（ステップＳ３０１，ＮＯ）および予備系が異常である場合（ステップＳ３０２，ＹＥＳ）には、前系を選択し（ステップＳ３０６）、本処理を終了する。
【００８１】
また、現用系が異常でない場合（ステップＳ３０３，ＮＯ）には、接続子「１」を介して図２０の処理、すなわちＶＰ単位の系切替を行う。すなわち、遅延制御による状態監視が、現用系および予備系のいずれも正常な場合には、ＶＰ切替を行い、現用系が異常であって、予備系が正常な場合には、子局側装置毎の切替を行うようにしている。
【００８２】
この実施の形態５によれば、ＶＰの設定数が多くなり、光ファイバに障害が発生した場合に、一斉に、設定された多くのＶＰ切替が発生し、切替制御に多大の時間がかかる場合が考えられるが、子局側装置毎の切替とＶＰ切替とを行うようにしているので、ＶＰ切替制御の集中がなくなり、光ファイバの切断などが発生しても、切替時間を迅速に行うことができる。
【００８３】
実施の形態６．
つぎに、この発明の実施の形態６について説明する。上述した実施の形態１〜５では、いずれも切替時における瞬断が発生するが、この実施の形態６では、切替時における遅延量の差を計算し、この遅延量情報を用いて切替時の瞬断が発生しないようにしている。
【００８４】
図２６は、この発明の実施の形態６である冗長光多分岐通信システムの親局側装置の構成を示すブロック図である。図２６において、親局制御部４ａ，４ｂは、実施の形態１と同じ構成である。遅延量測定部２１４は、往復の遅延量を測定し、測定結果を２つの差分計算回路６６に出力する。また、差分計算回路６６には、他の系の測定結果も入力される。すなわち、差分計算回路６６には、０系と１系との測定結果が入力され、差分計算回路６６は、０系と１系との遅延量の差を計算する。この遅延量の差を用いて、上り方向における０系と１系との遅延差情報を求まることができる。差分計算回路６６は、この遅延差情報を選択回路６１に出力する。
【００８５】
選択回路６１は、図２７に示す構成によって実現される。図２７において、差分計算回路６６から出力された遅延差情報は、読出位相調整部７７に入力される。読出位相調整部７７は、遅延差情報をもとに、０系の上り遅延差が大きい場合には、１系のセルバッファ２５の情報を、遅延差情報に応じた量だけパケットを溜める、すなわち遅延させて読み出すパケットの位相を揃えるように制御する。
【００８６】
ここで、親局側装置では、外部切替トリガが外部から入力され、この外部切替トリガによって切り替える場合、無瞬断で系切替を行うことができる。また、通常の障害による切替の場合には、選択制御回路６５から入力された信号によって切り替えられ、障害の検出までの間は、瞬断が発生するものの、切替時間を最小にすることができる。
【００８７】
一方、図２８は、この発明の実施の形態６である冗長光多分岐通信システムの子局側装置の構成を示すブロック図である。図２８において、子局制御部５ａ，５ｂは、実施の形態１と同じ構成である。遅延量設定部２１０は、子局側装置に設定される遅延量を０系および１系の差分計算回路６７に出力する。親局側装置における差分計算回路６６と同様に、差分計算回路６７には、０系と１系の遅延量が入力され、差分計算回路６７は、０系と１系との遅延差情報を計算し、この遅延差情報を選択回路６３に出力する。
【００８８】
選択回路６３は、図２９に示す構成によって実現される。図２９において、差分計算回路６７から出力された遅延差情報は、読出位相調整部７８に入力される。読出位相調整部７８は、遅延差情報をもとに、遅延量の少ない系のセルバッファ２４，２５に、この遅延量分だけの情報を蓄えておくようにセルバッファ２４，２５の読出制御を行い、セルバッファ２４，２５内のバッファメモリ部の読出位相を合わせる。そして、系選択制御信号が入力された場合、セレクタ２７を制御して、系の切り替えを行う。
【００８９】
上述した親局側装置からの外部切替トリガは、情報多重化回路４４において多重化され、情報として挿入され、子局側装置に送出される。切替信号受信部１８は、この外部切替トリガの情報を受信し、系選択制御回路３３に出力する。系選択制御回路３３は、この信号を受信して、選択回路６３に系切替制御信号を出力する。これによって、子局側装置においても、選択回路６３が、無瞬断の系切替を強制的に行うことができる。
【００９０】
この実施の形態６によれば、差分計算回路６６，６７によって遅延差情報を計算し、この計算結果をもとにセルの読出位相を揃えるようにしているので、外部切替トリガを用いて系切替を行った場合、無瞬断で系切替を行うことができ、また、通常の障害による切替の場合であっても、選択制御回路６５から入力された信号によって切り替えることができ、障害の検出までの間は、瞬断が発生するものの、切替時間を最小にすることができる。
【００９１】
【発明の効果】
以上説明したように、この発明によれば、遅延制御手段が、前記現用系および前記予備系の光ネットワーク上の各遅延量の制御を行い、選択切替制御手段が、前記遅延制御手段による遅延制御結果をもとに前記現用系および前記予備系の光ネットワークのうちの適切な光ネットワークに選択切替する制御を行うようにしているので、冗長構成の親局側装置と冗長構成の複数の子局側装置とが現用系の光ネットワークと予備系の光ネットワークとを介して接続されたシステムであっても、適切な光ネットワークに選択切替制御することができ、信頼性の高いシステムを構築することができるという効果を奏する。
【００９２】
つぎの発明によれば、前記選択切替制御手段が、前記現用系または前記予備系の光ネットワーク上における少なくとも１つの子局側装置に障害が発生した場合に、前記複数の子局側装置を該障害が発生していない他の光ネットワークに選択切替する制御を行うようにしているので、迅速かつ信頼性の高い冗長切替を行うことができるという効果を奏する。
【００９３】
つぎの発明によれば、前記選択切替制御手段は、前記遅延制御手段の遅延制御結果をもとに、前記子局側装置単位で前記現用系または前記予備系の光ネットワークを選択切替する制御を行うようにしているので、柔軟かつ信頼性の高い冗長切替を行うことができるという効果を奏する。
【００９４】
つぎの発明によれば、テーブルには、予め設定された子局側装置の第１識別情報と子局側装置が送出した情報の第２識別情報とを対応付けて記憶しておき、前記親局側装置において、複数のバッファが前記現用系または前記予備系の光ネットワークを介して入力された情報をそれぞれ一時格納し、選択読出制御手段が、前記テーブルの対応関係を参照して前記現用系および前記予備系の光ネットワークから入力される情報の送信元を識別し、該送信元に対応する前記バッファからの読み出しを制御するようにしているので、信頼性の高い冗長切替を行うことができるという効果を奏する。
【００９５】
つぎの発明によれば、前記複数の子局側装置が、前記遅延制御手段の遅延制御結果をもとに前記選択切替制御手段が行う選択切替の光ネットワークを決定するようにしているので、信頼性の高い冗長切替を柔軟に行うことができるという効果を奏する。
【００９６】
つぎの発明によれば、前記親局側装置が、前記複数の子局側装置毎に前記選択切替制御手段が行う選択切替の光ネットワークを予め決定しておき、該決定した選択切替のネットワークを前記複数の子局側装置に通知し、前記複数の子局側装置が、前記親局側装置が通知した選択切替のネットワークをもとに前記選択切替制御手段が行う選択切替のネットワークを決定するようにしているので、信頼性の高い冗長切替を柔軟に行うことができるという効果を奏する。
【００９７】
つぎの発明によれば、品質監視手段が、前記仮想パス単位の品質監視を行い、選択切替制御手段が、前記品質監視手段が監視した仮想パス単位の品質監視結果をもとに適切な仮想パスに選択切替する制御を行うようにしているので、柔軟な冗長構成を可能にするとともに、信頼性の高いシステムを構築することができるという効果を奏する。
【００９８】
つぎの発明によれば、遅延制御手段が、前記現用系および前記予備系の光ネットワーク上の各遅延量の制御を行い、前記選択切替制御手段が、前記遅延制御手段の遅延制御結果が所定の遅延量内である場合に仮想パス毎の切替制御を行うようにしているので、一層信頼性の高いシステムを柔軟に構築することができるという効果を奏する。
【００９９】
つぎの発明によれば、遅延差算出手段が、前記現用系および前記予備系の光ネットワーク間の各遅延差を求め、該各遅延差をもとに光ネットワーク間の遅延差情報を算出し、前記選択切替制御手段が、前記遅延差の小さい光ネットワークからの情報を遅延させるようにしているので、一層信頼性の高い冗長切替を実現することができるという効果を奏する。
【０１００】
つぎの発明によれば、前記選択切替制御手段が、外部切替トリガを用いて強制切替を行い、瞬断のない冗長切替を行うようにしているので、瞬断のない冗長切替を確実に行うことができるという効果を奏する。
【０１０１】
つぎの発明によれば、前記複数の子局側装置のうちの一部の子局側装置を、非冗長構成としているので、柔軟なシステムを構築することができるという効果を奏する。
【図面の簡単な説明】
【図１】  この発明の実施の形態１である冗長光多分岐通信システムの概要構成を示すブロック図である。
【図２】  図１に示した冗長光多分岐通信システムの親局側装置の詳細構成を示すブロック図である。
【図３】  図１に示した冗長光多分岐通信システムの子局側装置の詳細構成を示すブロック図である。
【図４】  図１に示した冗長光多分岐通信システムにおける遅延制御処理手順を示すシーケンス図である。
【図５】  この発明の実施の形態１である冗長光多分岐通信システムにおける系選択規則を示す図である。
【図６】  系選択切替前の状態の一例を示す図である。
【図７】  系選択切替後の状態の一例を示す図である。
【図８】  この発明の実施の形態１である冗長光多分岐通信システムにおける系選択切替処理手順を示すフローチャートである。
【図９】  選択回路の一例を示すブロック図である。
【図１０】  選択回路の他の一例を示すブロック図である。
【図１１】  この発明の実施の形態２である冗長光多分岐通信システムによる系選択規則を示す図である。
【図１２】  系選択切替後の状態の一例を示す図である。
【図１３】  選択回路の一例を示すブロック図である。
【図１４】  この発明の実施の形態３である冗長光多分岐通信システムの概要構成を示すブロック図である。
【図１５】  系選択切替後の状態の一例を示す図である。
【図１６】  選択回路の一例を示すブロック図である。
【図１７】  この発明の実施の形態４である冗長光多分岐通信システムにおいて設定される仮想パスの設定の一例を示す図である。
【図１８】  この発明の実施の形態４である冗長光多分岐通信システムの親局側装置の詳細構成を示すブロック図である。
【図１９】  この発明の実施の形態４である冗長光多分岐通信システムの子局側装置の詳細構成を示すブロック図である。
【図２０】  この発明の実施の形態４である冗長光多分岐通信システムにおける系選択切替処理手順を示すフローチャートである。
【図２１】  系選択切替後の状態の一例を示す図である。
【図２２】  選択回路の一例を示すブロック図である。
【図２３】  この発明の実施の形態５である冗長光多分岐通信システムの親局側装置の詳細構成を示すブロック図である。
【図２４】  この発明の実施の形態５である冗長光多分岐通信システムの子局側装置の詳細構成を示すブロック図である。
【図２５】  この発明の実施の形態５である冗長光多分岐通信システムにおける系選択切替処理手順を示すフローチャートである。
【図２６】  この発明の実施の形態６である冗長光多分岐通信システムの親局側装置の詳細構成を示すブロック図である。
【図２７】  選択回路の一例を示すブロック図である。
【図２８】  この発明の実施の形態６である冗長光多分岐通信システムの子局側装置の詳細構成を示すブロック図である。
【図２９】  選択回路の一例を示すブロック図である。
【図３０】  従来の光多分岐通信システムの概要構成を示すブロック図である。
【図３１】  図３０に示した光多分岐通信システムの親局側装置と子局側装置との詳細構成を示すブロック図である。
【図３２】  従来の冗長光多分岐通信システムの概要構成を示すブロック図である。
【符号の説明】
１  親局側装置、１ａ  ０系親局側装置、１ｂ  １系親局側装置、２−１〜２−ｎ  子局側装置、２−１ａ〜２−ｎａ  ０系子局側装置、２−１ｂ〜２−ｎｂ１系子局側装置、３−１，３−２  光スプリッタ、１０，１７  品質監視部、１１  品質情報受信部、１２，１９  系選択制御回路、１３  切替情報送信部、１４，４４  情報多重化回路、１５，２１，６１  選択回路、１６，２２，６２分岐回路、１８  切替信号受信部、２０  情報挿入部、２４，２５  セルバッファ、２６，７７，７８  読出位相調整部、２３，２７  セレクタ、２８  セル判別読出制御部、２９  セル種別情報テーブル、３０，４０  ＶＰ単位品質監視部、３１  ＶＰＯＡＭセル挿入部、３２  ＶＰ単位切替制御信号受信部、４１  ＶＰ単位品質情報受信部、３３，４２  ＶＰ単位系切替制御回路、４３  ＶＰ単位切替制御信号送信部、５０  セル種別情報／系固定情報テーブル、５１  ＶＰ情報テーブル、５２  ＶＰＩ＆読出制御部、６５  選択制御回路、６６，６７  差分計算回路。
【図１】
0003685978.tif 000002
【図２】
0003685978.tif 000003
【図３】
0003685978.tif 000004
【図４】
0003685978.tif 000005
【図５】
0003685978.tif 000006
【図６】
0003685978.tif 000007
【図７】
0003685978.tif 000008
【図８】
0003685978.tif 000009
【図９】
0003685978.tif 000010
【図１０】
0003685978.tif 000011
【図１１】
0003685978.tif 000012
【図１２】
0003685978.tif 000013
【図１３】
0003685978.tif 000014
【図１４】
0003685978.tif 000015
【図１５】
0003685978.tif 000016
【図１６】
0003685978.tif 000017
【図１７】
0003685978.tif 000018
【図１８】
0003685978.tif 000019
【図１９】
0003685978.tif 000020
【図２０】
0003685978.tif 000021
【図２１】
0003685978.tif 000022
【図２２】
0003685978.tif 000023
【図２３】
0003685978.tif 000024
【図２４】
0003685978.tif 000025
【図２５】
0003685978.tif 000026
【図２６】
0003685978.tif 000027
【図２７】
0003685978.tif 000028
【図２８】
0003685978.tif 000029
【図２９】
0003685978.tif 000030
【図３０】
0003685978.tif 000031
【図３１】
0003685978.tif 000032
【図３２】
0003685978.tif 000033